(57)【要約】【課題】タイヤ空気圧監視システムにおいて、車輪状態情報を好適に送受信する技術を提供する。【解決手段】車輪状態監視システム２００において、複数の車輪状態検出ユニット１６は、複数の車輪１４のそれぞれに対応して設けられ、検出した車輪状態を車輪状態情報として無線で送信する。要求信号発信機２２は、車輪状態情報の送信要求信号を無線で発信する。複数の車輪状態検出ユニット１６のそれぞれは、送信要求信号を受信すると、検出した車輪状態を、その受信時における車輪状態であることを特定する指示情報とともに、車輪状態情報として送信する。ＥＣＵ１００は、送信要求信号に応答して車輪状態検出ユニット１６から送信される車輪状態情報に基づいて、タイヤ空気圧警報処理の判定用閾値を設定する。【選択図】図１
2008184018.tif 000002
【特許請求の範囲】
【請求項１】
複数の車輪のそれぞれに対応して設けられ、検出した車輪状態を車輪状態情報として無線で送信する複数の車輪状態検出ユニットと、
前記複数の車輪が装着される車両本体に設けられ、車輪状態情報の送信要求信号を無線で発信する発信機と、
前記車両本体に設けられ、前記車輪状態検出ユニットから無線で送信された車輪状態情報を受信する車体側受信機と、を備え、
前記複数の車輪状態検出ユニットのそれぞれは、送信要求信号を受信すると、検出した車輪状態を、その受信時における車輪状態であることを特定する指示情報とともに、車輪状態情報として送信することを特徴とする車輪状態監視システム。
【請求項２】
前記車両本体に、送信要求信号に応答して前記車輪状態検出ユニットから送信される車輪状態情報に基づいて、タイヤ空気圧警報処理の判定用閾値を設定する設定手段が設けられることを特徴とする請求項１に記載の車輪状態監視システム。
【請求項３】
前記車輪状態検出ユニットは、定期的に車輪状態情報を送信することを特徴とする請求項１または２に記載の車輪状態監視システム。
【請求項４】
前記車輪状態検出ユニットは、前記車両本体から車輪状態情報の受信確認信号を受け取るまで、送信要求信号に応答して生成した車輪状態情報を記憶手段に保持することを特徴とする請求項１から３のいずれかに記載の車輪状態監視システム。
【請求項５】
送信要求信号は運転者からの操作入力に基づいて前記発信機から発信され、
前記設定手段は、車輪状態が所定の条件を満足している場合に、判定用閾値を設定することを特徴とする請求項２に記載の車輪状態監視システム。
【請求項６】
送信要求信号は、車両状態が所定の条件を満足している場合に、運転者からの操作入力に基づいて前記発信機から発信されることを特徴とする請求項１から５のいずれかに記載の車輪状態監視システム。
【請求項７】
車輪状態を検出する検出手段と、
車両本体側から発信される送信要求信号を受信する受信機と、
前記受信機において送信要求信号を受信したときに前記検出手段が検出した車輪状態に、送信要求信号の受信時における車輪状態であることを特定する指示情報を関連づけて記憶する記憶手段と、
前記記憶手段に記憶された車輪状態を、前記指示情報とともに車輪状態情報として無線で送信する送信機と、
を備えることを特徴とする車輪状態検出装置。
【発明の詳細な説明】
【技術分野】
【０００１】
本発明は、車輪状態に関連する情報を取得するための装置およびシステムに関する。
【背景技術】
【０００２】
近年、より安全な車両の走行を実現するために、タイヤの空気圧や温度などの情報を無線で車体側に送信して運転者に知らせるタイヤ空気圧監視システム（ＴＰＭＳ：Tire Pressure Monitoring System）の開発が進められている。このようなタイヤ空気圧監視システムでは、タイヤ空気圧などの車輪状態を検出する車輪状態検出ユニットが各車輪に設けられる。この車輪状態検出ユニットで検出された車輪状態情報は無線で車両本体側に送信される。
【０００３】
この種の監視システムに関して、特許文献１には、検出されたタイヤ空気圧と、設定される判定用閾値との比較に基づいて、タイヤ空気圧状態を判定する空気圧警報装置が開示される。特許文献１に開示された技術においては、タイヤが異なる仕様に変更された場合に、タイヤ空気圧が変更後のタイヤ仕様に応じた適正空気圧に調整され、調整後の実際のタイヤ空気圧が変更後のタイヤ仕様に応じた適正空気圧として記憶され、その記憶された実際のタイヤ空気圧に基づき判定用閾値が設定される。
【特許文献１】特開２００３−２６７０１１号公報
【発明の開示】
【発明が解決しようとする課題】
【０００４】
タイヤ空気圧監視システムにおいて、車輪状態検出ユニットは、タイヤバルブを有して構成され、タイヤバルブがホイールリムに固定されることで、車輪に取り付けられることがある。特許文献１では、判定用閾値の設定が停車時に行われるが、停止車輪における車輪状態検出ユニットの位置によっては、電波環境が悪く、車体側の受信機が、空気圧情報を受信できないこともある。そのような場合、タイヤの仕様が変更されても、停車中は空気圧情報を受信できないために、判定用閾値を変更できず、好ましくない。また車輪が回転すると電波環境が改善されて、車体側の受信機が回転中の車輪から空気圧情報を受信できるようになるが、その場合はタイヤ気室内温度が変化するため、正確な空気圧情報を取得できないという問題もある。
【０００５】
そこで、本発明は、車輪状態情報を好適に送受信する技術を提供することを目的とする。
【課題を解決するための手段】
【０００６】
上記課題を解決するために、本発明のある態様の車輪状態監視システムは、複数の車輪のそれぞれに対応して設けられ、検出した車輪状態を車輪状態情報として無線で送信する複数の車輪状態検出ユニットと、前記複数の車輪が装着される車両本体に設けられ、車輪状態情報の送信要求信号を無線で発信する発信機と、前記車両本体に設けられ、前記車輪状態検出ユニットから無線で送信された車輪状態情報を受信する車体側受信機とを備える。前記複数の車輪状態検出ユニットのそれぞれは、送信要求信号を受信すると、検出した車輪状態を、その受信時における車輪状態であることを特定する指示情報とともに、車輪状態情報として送信する。なお受信時における車輪状態とは、受信する直前に検出した車輪状態であってよく、また受信直後に検出した車輪状態であってもよい。
【０００７】
この態様によると、送信要求信号の受信時における車輪状態であることを特定する指示情報が車輪状態とともに送信されるため、車両本体側では、指示情報を参照して、送信されてきた車輪状態情報を、他の車輪状態情報と区別することができる。たとえば前記車輪状態検出ユニットが、定期的に車輪状態情報を送信する場合に、車両本体側は、定期送信される車輪状態情報と、送信要求信号に応答して生成される車輪状態情報とを、指示情報をもとに区別できる。これにより、指示情報を含んだ車輪状態情報を抽出して、特定の用途に利用することが可能となる。
【０００８】
前記車両本体に、送信要求信号に応答して前記車輪状態検出ユニットから送信される車輪状態情報に基づいて、タイヤ空気圧警報処理の判定用閾値を設定する設定手段が設けられてもよい。送信要求信号に応答して送信される車輪状態情報を利用することで、判定用閾値を適切に設定することが可能となる。
【０００９】
前記車輪状態検出ユニットは、前記車両本体から車輪状態情報の受信確認信号を受け取るまで、送信要求信号に応答して生成した車輪状態情報を記憶手段に保持してもよい。これにより、車両本体側で、たとえば判定用閾値設定などの処理が完了する前に、車輪状態情報を記憶手段から削除する状態を回避することができ、車両本体において車輪状態情報が受信できていない場合に、記憶状態を維持することで、同一の車輪状態情報を再送することが可能となる。
【００１０】
送信要求信号は運転者からの操作入力に基づいて前記発信機から発信され、前記設定手段は、車輪状態が所定の条件を満足している場合に、判定用閾値を設定してもよい。たとえば、車輪状態情報に含まれるタイヤ空気圧などの情報が正常でない場合、設定手段は、判定用閾値を設定しない。これにより、異常な車輪状態をもとに、判定用閾値を設定する事態を回避することができる。
【００１１】
送信要求信号は、車両状態が所定の条件を満足している場合に、運転者からの操作入力に基づいて前記発信機から発信されてもよい。たとえば車両の停止中であることを条件として、送信要求信号が発信されてもよい。
【００１２】
本発明の別の態様は、車輪状態検出装置である。この車輪状態検出装置は、車輪状態を検出する検出手段と、車両本体側から発信される送信要求信号を受信する受信機と、前記受信機において送信要求信号を受信したときに前記検出手段が検出した車輪状態に、送信要求信号の受信時における車輪状態であることを特定する指示情報を関連づけて記憶する記憶手段と、前記記憶手段に記憶された車輪状態を、前記指示情報とともに車輪状態情報として無線で送信する送信機とを備える。この態様によると、車輪状態を指示情報とともに車輪状態情報として無線で送信することで、車両本体側において、指示情報を付加された車輪状態情報を抽出することが可能となる。
【発明の効果】
【００１３】
本発明によれば、車輪状態情報を好適に送受信する技術を提供することが可能となる。
【発明を実施するための最良の形態】
【００１４】
以下、図面を参照しつつ本発明を実施するための最良の形態について詳細に説明する。
【００１５】
図１は、実施例に係る車両１０に設けられる車輪状態監視システム２００を模式的に示す図である。車両１０は車両本体１２を有し、車両本体１２には、右前輪１４ＦＲ、左前輪１４ＦＬ、右後輪１４ＲＲ、および左後輪１４ＲＬ（以下、必要に応じて「車輪１４」と総称する）が装着される。車輪１４はタイヤおよびホイールを有し、ホイールの外周部には円筒状に形成されたホイールリムが設けられ、ホイールリムの外周上にタイヤが組み付けられる。こうしてタイヤ内部とホイールリム外周によって囲われる領域にタイヤ気室が形成される。
【００１６】
本実施例の車輪状態監視システム２００は、車輪状態検出ユニット１６ａ、１６ｂ、１６ｃ、１６ｄ（以下、必要に応じて「車輪状態検出ユニット１６」と総称する）、車体側受信機２０、要求信号発信機２２ａ、２２ｂ、２２ｃ、２２ｄ（以下、必要に応じて「要求信号発信機２２」と総称する）、車輪速センサ２４および電子制御ユニット（以下、「ＥＣＵ」という）１００を備える。車輪状態検出ユニット１６ａは右前輪１４ＦＲに、車輪状態検出ユニット１６ｂは左前輪１４ＦＬに、車輪状態検出ユニット１６ｃは右後輪１４ＲＲに、車輪状態検出ユニット１６ｄは左後輪１４ＲＬに、それぞれ搭載される。また、要求信号発信機２２ａは車輪状態検出ユニット１６ａに、要求信号発信機２２ｂは車輪状態検出ユニット１６ｂに、要求信号発信機２２ｃは車輪状態検出ユニット１６ｃに、要求信号発信機２２ｄは車輪状態検出ユニット１６ｄに、それぞれ対応して設けられる。
【００１７】
車輪状態検出ユニット１６は、タイヤバルブおよびユニット本体部を有する。ユニット本体部は電池や基盤を内部に有し、基盤には後述する処理装置が設けられる。ユニット本体部は、この他にも後述する空気圧センサ、温度センサ、送信機、および受信機などを内部に有する。処理装置は、空気圧センサ、温度センサなどの検出結果から車輪状態情報を生成する。電池は、基盤の処理装置などに電力を供給する。このため、車輪状態検出ユニット１６は車両本体１２から電力の供給を受けることなく、タイヤ空気圧やタイヤ気室内温度の検出および車輪状態情報の無線送信を行うことが可能となっている。ユニット本体部はタイヤバルブの一端に固定される。車輪状態検出ユニット１６は、タイヤバルブがホイールリムに固定されることにより、車輪１４に取り付けられる。車輪状態検出ユニット１６は、たとえば数分に１回などの所定の周期で、車輪状態情報を定期的に送信する。
【００１８】
車体側受信機２０、要求信号発信機２２、車輪速センサ２４、初期化スイッチ２６、報知部２８およびＥＣＵ１００は車両本体１２に設けられる。ＥＣＵ１００は、車輪状態検出ユニット１６から送信される車輪状態情報からタイヤ空気圧を監視し、タイヤ空気圧が警報処理の判定用閾値を下回る場合に、報知部２８から運転者に警報を報知する機能をもつ。報知部２８は、スピーカから音声により警報を出力してもよく、また液晶パネルなどの画像出力装置から警報を出力してもよい。本実施例の車輪状態監視システム２００において、ＥＣＵ１００は、タイヤ空気圧を判定するための判定用閾値を設定する機能も有する。
【００１９】
初期化スイッチ２６は、タイヤを新しく交換したときや、また車体前後でタイヤをローテーションしたときなどに、警報処理の判定用閾値を設定するために、運転者により操作されるスイッチである。タイヤ交換等によって仕様が変更されると、タイヤ空気圧を監視するためには、新しいタイヤに対する警報処理の判定用閾値を設定しなおす必要がある。タイヤ交換後、運転者が初期化スイッチ２６を操作すると、ＥＣＵ１００が、判定用閾値の設定処理を開始する。
【００２０】
要求信号発信機２２は、対応する車輪状態検出ユニット１６に対して、車輪状態情報の送信を要求する信号を無線で発信する。要求信号発信機２２はＥＣＵ１００に接続されており、ＥＣＵ１００からの指示に基づいて送信要求信号を発信する。ＥＣＵ１００は、初期化スイッチ２６からの操作入力を受け付けることで、要求信号発信機２２に送信要求信号の発信指示を供給する。発信された送信要求信号は、対応する車輪状態検出ユニット１６の受信機により受信される。
【００２１】
車輪状態検出ユニット１６は、送信要求信号を受信すると、検出した車輪状態を、その受信時における車輪状態であることを特定する指示情報とともに、車輪状態情報として送信する。車輪状態検出ユニット１６は、車輪状態情報を定期的に送信しているが、送信要求信号を受信すると、送信周期とは関係なく、受信したタイミングで車輪状態情報を強制的に送信してもよい。また、車輪状態検出ユニット１６は、送信要求信号を受信すると、送信周期にしたがって、送信要求信号を受信した直後に到来する送信タイミングで車輪状態情報を送信してもよい。
【００２２】
車体側受信機２０は、車輪状態検出ユニット１６から無線送信された車輪状態情報を受信する。車体側受信機２０はＥＣＵ１００に接続されており、車体側受信機２０によって受信された車輪状態情報はＥＣＵ１００に出力される。ＥＣＵ１００は、受信された車輪状態情報が要求信号発信機２２からの送信要求信号に応答したものである場合、その車輪状態情報をもとに、たとえばタイヤ空気圧の状態を判定する警報処理に用いられる判定用閾値を設定する。
【００２３】
車輪速センサ２４は、４つの車輪１４の各々の回転を検出し、４つの車輪１４の各々について回転速度である車輪速を検出する。
【００２４】
図２は、図１の車両１０に設けられる車輪１４の部分断面図である。各車輪１４に含まれるタイヤ３０は、いわゆるランフラットタイヤであり、空気圧の低下時にランフラット走行を可能とするものである。タイヤ３０は、ビードコア３２が埋設された一対のビード部３４と、ビード部３４からタイヤ径方向外側に延びる一対のサイドウォール部３６と、両サイドウォール部３６間に延在するトレッド部３８とを含む。一対のビード部３４、一対のサイドウォール部３６およびトレッド部３８には、たとえば１枚の繊維材からなるカーカス４０が埋設されており、トレッド部３８には、カーカス４０の外側に位置するようにベルト層４２が埋設されている。そして、各サイドウォール部３６には、インナーライナ４４の内側に位置するように補強ゴム４６が埋設されている。この補強ゴム４６は、高い剛性を有し、ホイール５０とタイヤ３０とにより画成されるタイヤ３０内の空気圧がパンク等により低下した際に、タイヤ３０の全体をホイール５０に対して支持し、それによってランフラット走行を可能とする。
【００２５】
各車輪１４には、タイヤ３０の空気圧調整用バルブとして機能する車輪状態検出ユニット１６が装着されている。車輪状態検出ユニット１６は、その検出部６１がタイヤ３０とホイール５０との間に形成された内部空間Ｓに配置されており、その内部空間Ｓに突出するとともに後述する各種センサを収容して支持する樹脂製のケース６２と、ケース６２に一体に設けられた通気部６３とを含む。空気圧の調整の際には空気がこの通気部６３を介して内部空間Ｓに導入されるが、通常時においては通気部６３の先端部にバルブキャップ５８が装着されて通気が確実に遮断されている。車輪状態検出ユニット１６は、その通気部６３の部分がホイール５０のホイールリム５２に設けられた取付孔５４に弾性ゴムからなるグロメット５６、ワッシャおよびボルトを介して取り付けられる。このため、ケース６２は、通気部６３との接続部を支点に片持ち状に内部空間Ｓに配置されている。グロメット５６は、所定の剛性を有しており、タイヤ３０内を気密に保持する。また、バルブキャップ５８は、ホイールリム５２の外側に突出しており、このバルブキャップ５８を取り外して、図示しない弁口に空気供給装置のホースを接続することによりタイヤ３０内に空気を供給可能となる。
【００２６】
図３は、車輪状態監視システム２００における車両本体１２の機能ブロック図である。車両本体１２は、車体側受信機２０、要求信号発信機２２、車輪速センサ２４、初期化スイッチ２６、報知部２８およびＥＣＵ１００を備える。ＥＣＵ１００は、操作入力受付部１０２、車両状態判定部１０４、発信制御部１０６、車輪状態情報取得部１０８、判定用閾値設定部１１０、警報処理部１１２および記憶部１２０を備える。
【００２７】
操作入力受付部１０２は、運転者による初期化スイッチ２６の操作入力を受け付ける。既述したように、運転者が初期化スイッチ２６を操作すると、ＥＣＵ１００が判定用閾値の設定処理を開始する。
【００２８】
車両状態判定部１０４は、車両が判定用閾値を設定してよい状態にあるか判定する。本実施例の車輪状態監視システム２００において、判定用閾値は、初期化スイッチ２６の操作により送信要求信号が発信され、その送信要求信号が車輪状態検出ユニット１６において受信されたときに取得されるタイヤ空気圧を利用して求められる。そのため、運転者は、タイヤを交換すると、車両を停止した状態で初期化スイッチ２６を操作して判定用閾値の設定処理を開始させる。車両走行中は、タイヤ内の空気温度が上昇するため、タイヤ空気圧を適切に取得することができない。したがって、車両状態判定部１０４は、車両が停止状態にあるか判定し、初期化スイッチ２６が走行中に操作されたのであれば、判定用閾値の設定処理を強制終了するようにする。車両状態判定部１０４は、車輪速センサ２４からの検出値をもとに、車両が走行状態にあるか否かを判定する。
【００２９】
車両状態判定部１０４により車両状態が所定の条件を満足していることが判定されると、発信制御部１０６が、要求信号発信機２２ａ〜２２ｄのそれぞれを、車輪状態情報の送信要求信号を発信させるように制御する。たとえば発信制御部１０６は、所定の時間間隔で、要求信号発信機２２ａ〜２２ｄのそれぞれを順番に発信させてもよい。たとえば発信制御部１０６は、３秒間隔で要求信号発信機２２ａ、２２ｂ、２２ｃ、２２ｄの順に、それぞれ１回ずつ発信させてもよい。
【００３０】
要求信号発信機２２はＬＦ（Low Frequency）発信機であり、送信要求信号をＬＦ信号にのせて送信できる。要求信号発信機２２は、発信制御部１０６から送信指示をうけると、対応する車輪状態検出ユニット１６に対して送信要求信号を発信する。
【００３１】
図４は、実施例に係る車輪状態検出ユニット１６の機能ブロック図である。車輪状態検出ユニット１６は、車輪側受信機１７０、車輪側送信機１７２、空気圧センサ１７４、温度センサ１７６および処理装置１５０を備える。
【００３２】
空気圧センサ１７４および温度センサ１７６は、それぞれ車輪状態を検出する検出手段であり、空気圧センサ１７４は、タイヤ気室の空気圧（以下、「タイヤ空気圧」という）を検出し、温度センサ１７６は、タイヤ気室の温度を検出する。空気圧センサ１７４および温度センサ１７６は処理装置１５０に接続されており、空気圧センサ１７４および温度センサ１７６による検出結果は処理装置１５０に出力される。車輪側送信機１７２は、車輪状態情報を車体側受信機２０に送信し、車輪側受信機１７０は、要求信号発信機２２から発信される送信要求信号を受信する。
【００３３】
処理装置１５０はマイクロプロセッサによって構成され、要求信号取得部１５２、車輪状態情報生成部１５４、タイマ１５６、送信制御部１５８、確認信号取得部１６０および記憶部１６２を有する。タイマ１５６は時間を計時する。記憶部１６２は、車輪状態検出ユニット１６を一意に識別するための識別情報として利用されるユニットＩＤを格納する。車輪状態情報生成部１５４は、空気圧センサ１７４および温度センサ１７６の検出結果を利用して、タイヤ空気圧情報およびタイヤ気室内温度情報（以下、「タイヤ空気圧情報等」ともよぶ）を取得する。車輪状態情報生成部１５４は、取得したタイヤ空気圧情報等を含む車輪状態情報を生成する。この車輪状態情報は、ユニットＩＤを含んだ所定のデータフォーマットで構成され、記憶部１６２に保持された後、送信制御部１５８からの送信指示により車輪側送信機１７２から送信される。車輪状態情報生成部１５４は、タイマ１５６からの時間情報をもとに所定の周期で車輪状態情報を生成し、車輪状態情報は、送信制御部１５８により車輪側送信機１７２から所定の周期で送信される。
【００３４】
本実施例の処理装置１５０は、定期的に車輪状態情報を生成して送信する機能だけでなく、車両本体１２からの送信要求信号に応答して、その受信時における空気圧センサ１７４および温度センサ１７６の検出結果から生成した車輪状態情報を、送信周期とは無関係に強制的に送信する機能も有してよい。
【００３５】
具体的に、車輪側受信機１７０が、要求信号発信機２２からの送信要求信号を受信すると、要求信号取得部１５２が、その送信要求信号を取得する。要求信号取得部１５２は、判定用閾値設定用の車輪状態情報を生成することを車輪状態情報生成部１５４に指示する。車輪状態情報生成部１５４は、空気圧センサ１７４および温度センサ１７６の検出結果を受け取り、送信要求信号の受信時における車輪状態であることを特定する指示情報とともに、タイヤ空気圧情報等を含む車輪状態情報を生成する。たとえば、この指示情報は、フラグ値により表現されてもよい。車輪状態情報のデータフォーマットに、応答フラグが設けられ、通常の定期的に送信される車輪状態情報の応答フラグ値は０にセットされ、車両本体１２からの送信要求信号への応答として生成される車輪状態情報の応答フラグ値は１にセットされる。これにより、車両本体１２側では、車輪状態情報の応答フラグ値を参照することで、判定用閾値の設定処理に利用する車輪状態情報を選択的に取得することが可能となる。
【００３６】
なお、車輪状態情報生成部１５４は、要求信号取得部１５２からの指示を受けると、その受信したタイミングで車輪状態情報を生成してもよく、または、定期的な生成周期における直近のタイミングで車輪状態情報を生成してもよい。前者の場合は、車輪状態情報を、生成周期とは異なって強制的に生成することになり、一方、後者の場合は、車輪状態情報を、通常の生成周期にあわせて生成することになる。なお、前者の場合、車輪状態情報生成部１５４により車輪状態情報が生成されると、その旨が送信制御部１５８に通知され、送信制御部１５８は、生成された車輪状態情報を車輪側送信機１７２より車体側受信機２０に送信させる。これにより、車体側受信機２０は、要求信号発信機２２から送信要求信号を発信した後、比較的早いタイミングで、判定用閾値の設定処理に利用する車輪状態情報を受信できることになる。なお、送信制御部１５８は、所定の送信周期による送信タイミングで、車輪状態情報を車輪側送信機１７２より車体側受信機２０に送信させてもよい。車輪状態情報生成部１５４は、送信要求信号に対する車輪状態情報を記憶部１６２に格納する。
【００３７】
図３に戻って、車体側受信機２０は、車輪側送信機１７２から送信される車輪状態情報を受信し、車輪状態情報取得部１０８に引き渡す。車輪状態情報取得部１０８は、車輪状態情報を取得すると、応答フラグ値を参照して、判定用閾値の設定処理に利用するものであるか判定する。既述したように、応答フラグ値が１にセットされていれば、判定用閾値の設定処理用の車輪状態情報であることが判定される。応答フラグ値が１の場合、車輪状態情報取得部１０８は、その車輪状態情報を判定用閾値設定部１１０に引き渡す。判定用閾値設定部１１０は、その車輪状態情報に含まれるタイヤ空気圧情報から、判定用閾値を設定する。
【００３８】
たとえば、判定用閾値設定部１１０は、取得したタイヤ空気圧情報に対して０．７５を乗じた値を、判定用閾値として設定してもよい。たとえば、取得したタイヤ空気圧情報が２００ｋＰａであれば、１５０ｋＰａ（＝２００ｋＰａ×０．７５）を判定用閾値として設定する。この乗算係数は任意の値であってよいが、０．７５を乗算することは、タイヤ空気圧が初期状態から２５％低くなったときに、警報を発するポリシーであることを意味する。
【００３９】
なお判定用閾値設定部１１０は、車輪状態情報取得部１０８から引き渡された車輪状態情報に含まれる車輪状態が所定の条件を満足している場合に、判定用閾値を設定し、条件を満足していない場合には、判定用閾値の設定を行わない。たとえば、取得したタイヤ空気圧情報が異常に高い場合や、低い場合に、それをもとに判定用閾値を設定することは好ましくない。そこで、タイヤ空気圧の上限値および下限値を設定しておき、取得したタイヤ空気圧情報が、上限値および下限値で特定される範囲に入っていなければ、判定用閾値設定部１１０が、判定用閾値の設定処理を実行しないこととする。これにより、異常な判定用閾値が設定される状況を回避できる。
【００４０】
記憶部１２０は、車輪状態検出ユニット１６のユニットＩＤと、車輪状態検出ユニット１６の取付位置との対応表を格納している。タイヤ交換がなされたときには、運転者により、対応表が作成されてもよい。判定用閾値設定部１１０は、この対応表と、また車輪状態情報に含まれるユニットＩＤとを利用して、各輪における判定用閾値を定めることができる。
【００４１】
なお、要求信号発信機２２に発信機ＩＤをもたせることで、車輪状態検出ユニット１６のユニットＩＤと、車輪状態検出ユニット１６の取付位置との対応表を作成することも可能である。前提として、判定用閾値設定部１１０は、要求信号発信機２２ａ〜２２ｄの発信機ＩＤと、その設置位置との対応表を保持している。
【００４２】
各要求信号発信機２２は、自身の発信機ＩＤを含めて、送信要求信号を発信する。車輪状態検出ユニット１６において、要求信号取得部１５２が送信要求信号を取得すると、車輪状態情報生成部１５４に、発信機ＩＤの情報も通知する。これにより、車輪状態情報生成部１５４は、発信機ＩＤの情報も含めて車輪状態情報を生成することが可能となる。既述したように、車輪状態情報は、送信制御部１５８により車輪側送信機１７２から車体側受信機２０に送信される。
【００４３】
車輪状態情報取得部１０８は、車輪状態情報を取得し、判定用閾値設定部１１０は、車輪状態情報に含まれる発信機ＩＤを取得する。これにより、判定用閾値設定部１１０は、発信機ＩＤとその設置位置との対応表を参照して、車輪状態情報が、右前輪１４ＦＲ、左前輪１４ＦＬ、右後輪１４ＲＲ、左後輪１４ＲＬのいずれの車輪状態検出ユニット１６から送信されたものであるかを特定できる。このようにして判定用閾値設定部１１０は、車輪状態検出ユニット１６のユニットＩＤと、車輪状態検出ユニット１６の取付位置との対応表を作成し、各輪における判定用閾値を設定してもよい。
【００４４】
以上のように判定用閾値が設定されると、警報処理部１１２は、定期的に各車輪状態検出ユニット１６から送信される車輪状態情報から、タイヤ空気圧が判定用閾値を下回っているか判定する。なお、車両走行中はタイヤ気室内温度が上昇するため、その上昇分を加味して空気圧の判定処理を行うことが好ましい。警報処理部１１２は、タイヤ空気圧が判定用閾値を下回ったことを検出すると、報知部２８から警報を発する。報知部２８は、スピーカから音声により運転者にタイヤ空気圧が下がっていることを警告してもよく、また液晶パネルなどの画像出力装置から視覚的に警報を発してもよい。
【００４５】
なお本実施例において、判定用閾値の設定処理は、車両の停止状態において開始される。そのため車輪状態検出ユニット１６の車輪側送信機１７２と、車両本体１２の車体側受信機２０との間の通信状態は、車輪１４の停止位置に大きく影響されることになる。図２に示したように、車輪状態検出ユニット１６は、バルブ位置に設けられているため、車輪１４の停止位置によっては、車輪側送信機１７２からの送信信号が、車体側受信機２０により受信できない状況も発生しうる。
【００４６】
したがって、車輪状態検出ユニット１６では、送信要求信号への応答としての車輪状態情報が車両本体１２において受信できたことを確認するまでは、その車輪状態情報を記憶部１６２に保持しつづける。車両本体１２において、車輪状態情報取得部１０８が、応答フラグ値が１にセットされた車輪状態情報を取得すると、要求信号発信機２２から、受信確認信号（いわゆるＡＣＫ信号）を送信させる。確認信号取得部１６０は、受信確認信号を取得すると、車両本体１２において車輪状態情報が適切に受信されたことを確認して、記憶部１６２に保持した車輪状態情報を削除する。
【００４７】
一方、確認信号取得部１６０は、受信確認信号を取得しなければ、送信制御部１５８にその旨を通知する。たとえば、確認信号取得部１６０は、車輪側送信機１７２より車輪状態情報を送信してから所定時間が経過するまでに受信確認信号を取得できなかったときに、送信制御部１５８にその旨を通知してもよい。この所定時間は、タイマ１５６により計時される。この通知を受けると、送信制御部１５８は、記憶部１６２に保持されている車輪状態情報を車輪側送信機１７２から再送信させることができる。
【００４８】
なお車両の停止中、車輪状態検出ユニット１６の位置は変化しないため、車輪側送信機１７２と車体側受信機２０との間の通信状況が改善されないことが想定される。したがって、送信制御部１５８による再送信処理は、たとえば所定回数を限度として実行されるようにしてもよい。これにより、再送信処理を無駄に継続する状況を回避でき、バッテリ消費量を低減できる。なお、車輪状態検出ユニット１６が加速度センサを搭載し、車輪１４が回転していることが検出されると、車輪状態検出ユニット１６の位置が変化したことが分かるため、その時点で再送信処理を実行ないしは再開するようにしてもよい。これにより、車両走行中であっても、初期化スイッチ２６が操作された時点の車輪状態情報が、適切に車体側受信機２０において受信されることになる。
【００４９】
図５は、車両本体１２において実行される判定用閾値設定処理のフローを示す。本フローは、運転者により初期化スイッチ２６が操作されることで（Ｓ１０のＹ）開始される。なお、初期化スイッチ２６が操作されなければ（Ｓ１０のＮ）、本フローは実行されない。
【００５０】
初期化スイッチ２６が操作されると、車両状態判定部１０４が、車両が停止しているか判定する（Ｓ１２）。車両が停止していなければ（Ｓ１２のＮ）、判定用閾値の設定処理は終了し、車両が停止していれば（Ｓ１２のＹ）、発信制御部１０６が、各要求信号発信機２２を制御して、送信要求信号を発信させる（Ｓ１４）。車輪状態情報取得部１０８が、送信要求信号に対する応答である車輪状態情報を取得すると（Ｓ１６のＹ）、要求信号発信機２２から受信確認信号を送信させる（Ｓ１８）。なお、車輪状態情報取得部１０８が、送信要求信号に対する応答である車輪状態情報を、たとえば所定時間の間に受信できなければ（Ｓ１６のＮ）、判定要閾値の設定処理が終了されてもよい。判定用閾値設定部１１０は、車輪状態情報に含まれるタイヤ空気圧情報をもとに、警報処理の判定用閾値を設定する（Ｓ２０）。
【００５１】
図６は、車輪状態検出ユニット１６において実行される車輪状態情報の送信処理のフローを示す。本フローは、要求信号取得部１５２が送信要求信号を取得することで（Ｓ３０のＹ）開始される。送信要求信号が取得されなければ（Ｓ３０のＮ）、本フローは実行されない。なお、本フローは、判定用閾値の設定に利用される車輪状態情報の送信処理フローを示し、定期的な車輪状態情報の送信処理については省略している。
【００５２】
車輪状態情報生成部１５４は、空気圧センサ１７４等により検出された車輪状態を、送信要求信号の受信時における車輪状態であることを特定する指示情報と関連づけて車輪状態情報を生成し、記憶部１６２に記憶する。車輪側送信機１７２は、その車輪状態情報を車体側受信機２０に送信する（Ｓ３２）。車輪側送信機１７２は、車輪状態情報が生成されたタイミングで送信してもよく、また所定の送信周期にしたがって送信してもよい。
【００５３】
確認信号取得部１６０は、要求信号発信機２２から受信確認信号が送信されてきたか確認し、確認できなければ（Ｓ３４のＮ）、記憶部１６２に記憶されている車輪状態情報を再送信する（Ｓ３２）。確認信号取得部１６０は、受信確認信号を取得すると（Ｓ３４のＹ）、車輪状態情報を記憶部１６２から削除する。
【００５４】
本発明は上述の実施例に限定されるものではなく、実施例の各要素を適宜組み合わせたものも、本発明の実施例として有効である。また、当業者の知識に基づいて各種の設計変更等の変形を実施例に対して加えることも可能であり、そのような変形が加えられた実施例も本発明の範囲に含まれうる。
【図面の簡単な説明】
【００５５】
【図１】実施例に係る車両に設けられる車輪状態監視システムを模式的に示す図である。
【図２】図１の車両に設けられる車輪の部分断面図である。
【図３】車輪状態監視システムにおける車両本体の機能ブロック図である。
【図４】実施例に係る車輪状態検出ユニットの機能ブロック図である。
【図５】車両本体において実行される判定用閾値設定処理のフローを示す図である。
【図６】車輪状態検出ユニットにおいて実行される車輪状態情報の送信処理のフローを示す図である。
【符号の説明】
【００５６】
１０・・・車両、１２・・・車両本体、１４・・・車輪、１６・・・車輪状態検出ユニット、２０・・・車体側受信機、２２・・・要求信号発信機、２４・・・車輪速センサ、２６・・・初期化スイッチ、２８・・・報知部、１００・・・ＥＣＵ、１０２・・・操作入力受付部、１０４・・・車両状態判定部、１０６・・・発信制御部、１０８・・・車輪状態情報取得部、１１０・・・判定用閾値設定部、１１２・・・警報処理部、１２０・・・記憶部、１５０・・・処理装置、１５２・・・要求信号取得部、１５４・・・車輪状態情報生成部、１５６・・・タイマ、１５８・・・送信制御部、１６０・・・確認信号取得部、１６２・・・記憶部、１７０・・・車輪側受信機、１７２・・・車輪側送信機、１７４・・・空気圧センサ、１７６・・・温度センサ、２００・・・車輪状態監視システム。
【図１】
2008184018.tif 000003
【図２】
2008184018.tif 000004
【図３】
2008184018.tif 000005
【図４】
2008184018.tif 000006
【図５】
2008184018.tif 000007
【図６】
2008184018.tif 000008